(57)【要約】    【課題】  使用者が側臥する場合、又は使用者の体格の違いによっても振動が感じら、振動発生手段の共鳴を防止したベッド用振動発生装置を提供すること。    【解決手段】  ベッド１内に載置され使用者６に振動を付与する振動発生装置１０であって、振動発生装置１０は、使用者６に振動を与える振動板２０と、振動板２０に２つ設けられ同位相でベッドの上下方向に振動する振動子３０と、振動子３０の間の振動板２０に設けられ、振動板２０の共鳴を防止する４つの共鳴防止孔２４を備える。【選択図】  図１
2010082127.tif 000002
【特許請求の範囲】
【請求項１】
ベッド内に載置され使用者に振動を付与する振動発生装置であって、
前記振動発生装置は、
使用者に振動を与える振動板と、
前記振動板に少なくとも２つ以上設けられ同位相で同一方向に振動する振動子と、
前記振動子の間の前記振動板に設けられ、前記振動板の共鳴を抑制する開口部と、
を備えることを特徴とする振動発生装置。
【請求項２】
前記振動発生装置は、使用者の膝と踵の間に載置される、ことを特徴とする請求項１に記載の振動発生装置。
【請求項３】
前記開口部は前記振動板の中心に対して対称な位置に少なくとも２つ以上設けられる、ことを特徴とする請求項１又は２に記載の振動発生装置。
【発明の詳細な説明】
【技術分野】
【０００１】
本発明は、ベッド内に設けられる振動発生装置に関するものである。
【背景技術】
【０００２】
従来のベッドとして、ベッド床に床フレームを備え、この床フレームには使用者の頭部および胴部を支える前側受部と、使用者の脚部を支える後側受部とが分けて設けられ、前側受部は床フレーム上に支持される弾性体を有して床フレームの振動が弾性体により緩衝吸収されるようにされており、また後側受部は床フレーム上に緩衝材を介して支持される振動部材を有し、その振動部材には、これに振動を付与する振動発生手段が設けられ、この振動発生手段の振動は後側受部には伝わるが、前側受部へは伝わりにくいようにされているものがある（例えば、特許文献１参照。）。
【０００３】
また、ベッド上に仰臥する人に対して、スピーカーにより高周波帯の音楽や音を再生して聴取させると共に、前記スピーカーで再生できない低周波帯の音を振動発生器で振動として再生し、末梢神経を刺激して体で感じさせてリラックス効果を与えるベッドがある（例えば、特許文献２参照。）。
【特許文献１】特開２００７−３７８３２号公報
【特許文献２】特開２０００−２３３０２５号公報
【発明の開示】
【発明が解決しようとする課題】
【０００４】
しかしながら、従来技術は使用者が仰臥した場合を想定したものであり、側臥する場合や、又は使用者の体格の違いによっては目的の振動が感じられない問題がある。また、振動発生手段の振動の周波数帯によっては、共鳴して使用者に不快感を与える問題がある。
【０００５】
本発明は、上記問題点に鑑みてなされたものであり、使用者が側臥する場合、又は使用者の体格の違いによっても振動が感じられ、振動発生手段の共鳴を抑制したベッド用振動発生装置を提供することを目的とする。
【課題を解決するための手段】
【０００６】
上記課題を解決するため、請求項１に記載の発明は、ベッド内に載置され使用者に振動を付与する振動発生装置であって、前記振動発生装置は、使用者に振動を与える振動板と、前記振動板に少なくとも２つ以上設けられ同位相で同一方向に振動する振動子と、前記振動子の間の前記振動板に設けられ、前記振動板の共鳴を抑制する開口部と、を備える。
【０００７】
また、請求項２に記載の発明は、前記振動発生装置は、使用者の膝と踵の間に載置される。
【０００８】
また、請求項３に記載の発明は、前記開口部は前記振動板の中心に対して対称な位置に少なくとも２つ以上設けられる。
【発明の効果】
【０００９】
請求項１に記載の発明では、振動子からの振動は同位相で振動板に伝達され、振動板全体が同一位相、同一方向に振動するため、振動板全体（振動させたい範囲）に十分な振動を伝えることができる。よって使用者が側臥する場合や体格の違いによっても振動が感じられる。また、振動子の間の振動板には、振動板の共鳴を抑制する開口部が設けられるため、使用者に振動板の共鳴による不快感を与える問題を解決できる。
【００１０】
また、請求項２に記載の発明では、振動発生装置をベッド内の使用者の膝と踵の間の位置に設けるため、体格の違いによる問題を解決できる。
【００１１】
また、請求項３に記載の発明では、開口部を少なくとも２つ以上設けるため、開口部を１つだけ設ける場合と比較して、使用者と振動板が重複する面積を増やすことができ、多くの振動を使用者に与えることができる。また、開口面積も大きくとることが可能なため、共鳴防止の効果も大きい。また、開口部を振動板の中心に対して対称な位置に設けることで、振動板全体を均一に振動させる効果を奏する。
【発明を実施するための最良の形態】
【００１２】
以下に本発明の最良の実施形態を図面に基づき説明する。
【００１３】
図１は、本発明の振動発生装置１０を内部に備えたベッド１で、（ａ）はベッド１の正面図で使用者６が側臥状態、（ｂ）はベッド１の側面図で使用者６が仰臥状態、を示す。ベッド１は、ベッド本体２と、ヘッドボード３と、第１マットレス４ａと、第２マットレス４ｂから構成され、第２マットレス４ｂの下部には振動発生装置１０が設けられる。振動発生装置１０は、使用者６の膝７と踵８の間に載置される。振動発生装置１０は、通常のベッド１の使用状態では、使用者６から見えない位置にある。
【００１４】
図２は、振動発生装置１０の振動板２０の第１マットレス４ａへの取付状態を示す分解斜視図である。第１マットレス４ａには、２つの取付孔５が設けられ、振動子３０（図３）が嵌合する。ベッド本体２にはスリット９が設けられ、振動子３０へ電源を供給するケーブル３２（図３）の断線防止及び異音発生防止の機能を奏する。
【００１５】
図３は、振動発生装置１０の分解斜視図である。振動発生装置１０は、振動板２０と、２つの振動子３０から構成される。
【００１６】
振動板２０は、ＡＢＳ樹脂材料から成り、振動子３０を取り付けるためのナット２１を有するフランジ２２が設けられる。また振動子３０を取り付けるフランジ２２の間には、振動板２０の中心２３に対して対称な位置に４つの共鳴防止用孔２４（開口部）が設けられる。
【００１７】
振動子３０は、振動板２０のフランジ２２にそれぞれ３つのボルト３１で固定される。ボルト３１には緩み止め剤が塗布されており、振動子３０の振動による緩みを防止している。振動子３０にはケーブル３２が設けられ外部から電源が供給される。２つの振動子３０は、フランジ２２に固定された状態で同位相でベッド１の上下方向に振動する。
【００１８】
図４は、振動発生装置１０の配置の官能試験を示す説明図で、（ａ）はベッド１の正面図で使用者６が側臥状態、（ｂ）はベッド１の側面図で使用者６が仰臥状態、を示す。ヘッドボード３から振動子３０までの足先方向距離ａ（１４８５ｍｍ〜１６８５ｍｍ）、振動子３０の足幅間隔ｂ（２００ｍｍ〜３００ｍｍ）として、身長の異なる被験者６名（男性４人、女性２人）により寝姿勢が仰臥、側臥にて振動の感じ方を評価した。
【００１９】
表１は官能試験結果である。官能試験により、足先方向距離ａが１６３５ｍｍ、足幅間隔ｂが２５０ｍｍに設定することで、成人の９５％が仰臥、側臥にて振動を心地よく感じるとの結果が得られた。
【表１】
2010082127.tif 000003
【００２０】
本発明では、振動子３０からの振動は振動板２０に伝達され、振動板２０全体が同一位相で上下方向に振動するため、振動させたい範囲内に十分な振動を伝えることができる。よって使用者６が側臥する場合や体格の違いによっても振動が感じられる。また、２つの振動子３０の間の振動板２０には、振動板２０の共鳴を防止する共鳴防止孔２４が４つ設けられるため、使用者６に振動板２０の共鳴による不快感を与える問題を解決できる。
【００２１】
また、振動発生装置１０をベッド１内の使用者６の膝７と踵８の間の位置に設けるため、体格の違いによる問題を解決できる。
【００２２】
また、共鳴防止孔２４を４つ設けるため、使用者６と振動板２０が重複する面積を増やすことができ、多くの振動を使用者６に与えることができる。また、共鳴防止孔２４のトータルでの開口面積を大きくとることが可能なため、共鳴防止の効果も大きい。また、共鳴防止孔２４を振動板２０の中心に対して対称な位置に設けることで、振動板２０全体を均一に振動させる効果を奏する。
【図面の簡単な説明】
【００２３】
【図１】本発明の振動発生装置を内部に備えたベッドで、（ａ）はベッドの正面図で使用者が側臥状態、（ｂ）はベッドの側面図で使用者が仰臥状態、を示す。
【図２】振動発生装置の振動板のベッド本体への取付状態を示す分解斜視図である。
【図３】振動発生装置の分解斜視図である。
【図４】振動発生装置の配置の官能試験を示す説明図で、（ａ）はベッドの正面図で使用者が側臥状態、（ｂ）はベッドの側面図で使用者が仰臥状態、を示す。
【符号の説明】
【００２４】
１  ベッド
１０  振動発生装置
２０  振動板
２４  共鳴防止孔（開口部）
３０  振動子
【図１】
2010082127.tif 000004
【図２】
2010082127.tif 000005
【図３】
2010082127.tif 000006
【図４】
2010082127.tif 000007